(57)【要約】【課題】サーバ装置に接続されたディスプレイ装置が故障した場合、故障の発生したこと、どの回路の故障かを認識できる手段が従来は無かった。【解決手段】本発明は、ディスプレイ装置内部に故障診断機能を搭載し、ディスプレイ装置の故障発生時には故障が発生したことを検出し、さらに故障が発生したこと及び故障発生個所を通知する機能をもつディスプレイであり、（１）ディスプレイ装置内部に故障検出回路を搭載し、（２）故障が発生した際に、ディスプレイ装置自身がそれを検出し、電子メール等の手段にてユーザーに通知し、（３）故障を検出した際に、保守員への通知を自動的に行う。ことを特徴とするものである。【選択図】      図１
2006268514.tif 000002
【特許請求の範囲】
【請求項１】
ディスプレイ装置を構成する回路に前記回路の故障を検出する故障検出回路を接続し、前記回路の故障を検出すると本体装置にＤＤＣラインを使用して故障情報を送信することを特徴とする故障診断機能付きディスプレイ装置。
【請求項２】
前記回路は、前記ディスプレイ装置の電源、マイクロコンピュータ、ＦＢＴ、ＣＲＴを含むことを特徴とする請求項１記載の故障診断機能付きディスプレイ装置。
【請求項３】
前記本体装置はサーバを含むコンピュータ装置であって、前記ＤＤＣラインによって前記故障情報を受信すると、電子メールによって保守員に通知することを特徴とする請求項１記載の故障診断機能付きディスプレイ装置。
【発明の詳細な説明】
【技術分野】
【０００１】
本発明はディスプレイ装置の保守に関し、特に、ディスプレイ装置を構成する主要部品に故障検出回路を備えＤＤＣラインを使用してサーバに報告する故障診断機能付きディスプレイ装置に関する。
【背景技術】
【０００２】
現在、サーバーのコンソール用に使用されているディスプレイ装置（ＬＣＤ／ＣＲＴ等）は通常のサーバー運用時にはほとんど使用されていないケースが多いが、いざ、システムに異常が発生し、サーバーの状態を確認しようとしたところディスプレイ装置が故障していたためにサーバーの状態が確認できない場合がある。これではディスプレイ装置が接続されている意味がなくなってしまう。
【０００３】
特許文献１には、バックライトを有する表示装置においてバックライトの故障を判定する内容が記載されている。
【０００４】
【特許文献１】特開２００２−３４１８３８
【発明の開示】
【発明が解決しようとする課題】
【０００５】
前述の特許文献１は、表示装置のバックライトに特化した故障検出機能を持つものであり、ディスプレイ装置を構成する回路についてそれぞれの回路の故障を判定する機能は有していない。
【０００６】
本発明は、ディスプレイ装置内部に故障検出回路を搭載し、故障を通知する機能をもたせることによって、以上の問題点を解決する故障診断機能付きディスプレイ装置を提供する。
【課題を解決するための手段】
【０００７】
本発明の第１の故障診断機能付きディスプレイ装置は、ディスプレイ装置を構成する回路に前記回路の故障を検出する故障検出回路を接続し、前記回路の故障を検出すると本体装置にＤＤＣラインを使用して故障情報を送信することを特徴とする。
【０００８】
本発明の第２の故障診断機能付きディスプレイ装置は、前記第１の故障診断機能付きディスプレイ装置に於いて、前記回路は、前記ディスプレイ装置の電源、マイクロコンピュータ、ＦＢＴ、ＣＲＴを含むことを特徴とする。
【０００９】
本発明の第３の故障診断機能付きディスプレイ装置は、前記第１の故障診断機能付きディスプレイ装置に於いて、前記本体装置はサーバを含むコンピュータ装置であって、前記ＤＤＣラインによって前記故障情報を受信すると、電子メールによって保守員に通知することを特徴とする。
【発明の効果】
【００１０】
第一の効果は、ディスプレイ装置内部の故障をディスプレイ装置自身が診断し、故障を検出できることである。
第二の効果は、故障を検出した際に、サーバーの管理者に自動的に故障が発生したことを通知できるようになることである。
第三の効果は、電話回線等を通じて保守員への通知を行うことによって、ユーザーがディスプレイの故障が発生したことを気づくよりも前に保守対応が可能となり、保守サービスの局面においてユーザー印象の向上が期待できる。
【発明を実施するための最良の形態】
【００１１】
次に、本発明を実施するための最良の形態について図面を参照して詳細に説明する。
本発明の故障診断機能付きディスプレイ装置の第一の実施例は、図１を参照すると、ディスプレ装置に搭載されている表示器１０１、マイコン１０２、高圧昇圧トランスのＦＢＴ１０３、電源１０４に加えて、主要な部分に故障検出回路１０５を１以上搭載するディスプレイ装置１０として構成されている。
このディスプレイ装置１０では故障が発生した際に故障個所を検出することができる。故障を検出した際には、制御信号を伝送するビデオケーブルのＤＤＣ（Ｄｉｓｐｌａｙ  Ｄａｔａ  Ｃｈａｎｎｎｅｌ）ラインを通じてその情報をサーバー側に渡し、サーバーからシステムの管理者へE-mail等の手段にて故障が発生した旨を通知する。
【００１２】
次に、本発明を実施するための最良の形態の動作について図面を参照して説明する。
次に、本実施例の動作について詳細に説明する。
【００１３】
図１と図２のフローチャートを参照すると、本発明にて使用するディスプレイ装置１０は、通常のディスプレイ装置とは異なり、画面を表示するための主要な部品、例えば、ブラウン管等の表示器１０１、画面表示制御マイコン１０２、ＦＢＴ１０３、電源１０４等、と主要な部品の故障を検出するための故障検出回路１０５を備えている。
【００１４】
また、サーバー側にはディスプレイ装置で故障が発生した際にビデオケーブルのＤＤＣラインを通して通知される信号を処理するために、ソフトウェアドライバがインストールされている。
【００１５】
ディスプレイ装置１０において故障が発生した際には（ステップＳ１）、故障検出回路１０５がその故障を検出し（ステップＳ２）、故障部位とともにその情報をＤＤＣラインを通じてサーバー側に渡す（ステップＳ３）。
【００１６】
ここで通常のＤＤＣデータとは異なる信号がＤＤＣラインに流れることになるが、こういった信号の切り替え等についてはサーバー側にインストールされているソフトウェアドライバにて処理を行う。
【００１７】
故障情報を受け取ったサーバーは、そのサイトのユーザ、システム管理者、保守員等宛に自動的にE-mailを発信し、ディスプレイの故障が発生した旨を通知する（ステップＳ４）。また、電話回線等を通じて保守員への通知も同時に行うことも可能である。この場合、ユーザーがディスプレイの故障が発生したことを気づくよりも前に保守対応が可能となり、保守サービスの局面においてユーザー印象の向上が期待できる。
【００１８】
このような機能をもったディスプレイ装置１０を使用することによって、サーバーの異常が発生した際にディスプレイが故障しているためにサーバーの状態が確認できなくなるという本末転倒な事態は避けられるようになる。
【産業上の利用可能性】
【００１９】
コンピュータに接続されたディスプレイ装置を構成する回路の故障を検出する保守サービス等に利用できる。
【図面の簡単な説明】
【００２０】
【図１】本発明の実施例の構成を説明するブロック図である。
【図２】本発明の実施例の動作を説明するフローチャートである。
【符号の説明】
【００２１】
１０    ディスプレイ装置
１０１    表示器
１０２    画面表示制御マイコン
１０３    ＦＢＴ
１０４    電源
１０５    故障検出回路
【図１】
2006268514.tif 000003
【図２】
2006268514.tif 000004